(57)【要約】【課題】プロジェクタ装置により表示される画像の隠し撮りを防止する。【解決手段】プロジェクタ装置として、Ｒ，Ｇ，Ｂの色空間により色再現した表示画像である原画像に対して、色空間変換によりＲ、Ｃｙ、Ｂの色空間により同じ色再現がされる表示画像部分を隠し撮り防止画像部分として埋め込むように表示する。隠し撮り防止画像部分は、人間の視覚上では、原画像と同じ色に見える。しかし、Ｒ，Ｇ，Ｂの色空間と、Ｒ、Ｃｙ、Ｂの色空間とでは、Ｒ，Ｂの色成分値が互いに異なってくることで、例えばＲ，Ｇ，Ｂ方式により撮像を行うカメラによって撮影した場合には、撮影された表示画像は、本来とは異なる色として再現される。【選択図】　　　　図１３
2004144907.tif 000002
【特許請求の範囲】
【請求項１】
第１の色成分群を成す複数の色成分ごとに対応する映像光を形成する第１の映像光形成手段と、
少なくとも、上記第１の映像光形成手段により形成された各色成分ごとの映像光を１つに合成することにより第１の表示映像光を形成する表示映像光形成手段とを備え、
上記第１の映像光形成手段は、上記第１の色成分群とは色成分の組み合わせが異なる、第２の色成分群の色成分ごとに対応する映像光を合成して形成されるべき第２の表示映像光と、同じ色度点及び輝度による上記第１の表示映像光が形成されるように、上記第１の色成分群を成す複数の色成分ごとの色成分値を設定し、この設定された色成分値に基づいて、上記第１の色成分群を成す複数の色成分ごとに対応する映像光を形成するように構成されている、
ことを特徴とする映像表示装置。
【請求項２】
上記第２の色成分群を成す複数の色成分ごとに対応する映像光を形成する第２の映像光形成手段を備え、
上記表示映像光形成手段は、上記第２の映像光形成手段により形成された各色成分ごとの映像光を１つに合成して上記第２の表示映像光を形成するようにもされていると共に、
上記表示映像光形成手段により合成すべき映像光について、上記第１の映像光形成手段により形成される映像光と、上記第２の映像光形成手段により形成される映像光とで、所要のタイミングにより切り換えを行う切り換え手段を設ける、
ことを特徴とする請求項１に記載の映像表示装置。
【請求項３】
上記切り換え手段は、
表示画像全体における、上記第１の表示映像光による画像部分について、所定の態様による変化が与えられるようにして、所要のタイミングにより切り換えを行うように構成される、
ことを特徴とする請求項２に記載の映像表示装置。
【請求項４】
第１の色成分群を成す複数の色成分ごとに対応する映像光を形成する第１の映像光形成手順と、
少なくとも、上記第１の映像光形成手順により形成された各色成分ごとの映像光を１つに合成することにより第１の表示映像光を形成する表示映像光形成手順とを行うものとされ、
上記第１の映像光形成手順は、上記第１の色成分群とは色成分の組み合わせが異なる、第２の色成分群の色成分ごとに対応する映像光を合成して形成されるべき第２の表示映像光と、同じ色度点及び輝度による上記第１の表示映像光が形成されるように、上記第１の色成分群を成す複数の色成分ごとの色成分値を設定し、この設定された色成分値に基づいて、上記第１の色成分群を成す複数の色成分ごとに対応する映像光を形成する、
ことを特徴とする映像表示方法。
【請求項５】
上記第２の色成分群を成す複数の色成分ごとに対応する映像光を形成する第２の映像光形成手順を行い、
上記表示映像光形成手順によっては、上記第２の映像光形成手順により形成された各色成分ごとの映像光を１つに合成して上記第２の表示映像光を形成するようにもされていると共に、
上記表示映像光形成手順により合成すべき映像光について、上記第１の映像光形成手順により形成される映像光と、上記第２の映像光形成手順により形成される映像光とで、所要のタイミングにより切り換えを行う切り換え手順を行うようにされる、
ことを特徴とする請求項４に記載の映像表示方法。
【請求項６】
上記切り換え手順は、
表示画像全体における、上記第１の表示映像光による画像部分について、所定の態様による変化が与えられるようにして、所要のタイミングにより切り換えを行う、
ことを特徴とする請求項５に記載の映像表示方法。
【発明の詳細な説明】
【０００１】
【発明の属する技術分野】
本発明は、例えばプロジェクタ装置としての映像表示装置、及びこのような映像表示装置に対応する映像表示方法に関するものである。
【０００２】
【従来の技術】
映像表示装置として、プロジェクタ装置が広く普及している。
このようなプロジェクタ装置として、１つには、反射型のスクリーンに対してその前面から画像光（映像光）を投射することにより表示を行う、いわゆるフロント投射型が知られている。また、１つには、透過型のスクリーンに対してその背面側から画像光を投射することにより表示を行う、いわゆる背面投射型が知られている。
【０００３】
上記のようなプロジェクタ装置では、例えば、白色光源の光をリフレクタ等によりコリメートした光束が色分解ミラーで、赤、緑、青（Ｒ，Ｇ，Ｂ）の３色の光束に分解される。
そして、上記３色の光束は、赤、緑、青（Ｒ，Ｇ，Ｂ）の各色に対応した映像信号に応じて形成される各二次元画像表示素子（例えばＬＣＤ；Ｌｉｑｕｉｄ　ＣｒｙｓｔａｌＤｉｓｐｌａｙ）に入光される。これら赤、緑、青に対応する各二次元画像表示素子上に得られた像光は、色合成光学系にて白色に色合成され、投射レンズを介して反射型若しくは透過型のスクリーンに対して拡大投射される。
【０００４】
そして、上記したプロジェクタ装置は、その用途の１つとして、いわゆる映写機として用いることが行われている。つまり、劇場の大きなスクリーンに、映画の画像を拡大投射するための画像表示装置として用いられるものである。
【０００５】
【発明が解決しようとする課題】
ところで、映画などのコンテンツについての著作権を侵害する不正な行為として、いわゆる隠し撮りが行われている。つまり、劇場で上映されている実際の映画の画像／音声を、客席側から携帯型のビデオカメラによりこっそりと録画／録音するものである。そして、このようにして隠し撮りにより録画／録音した内容を、さらに無断で上映したり、ビデオテープなどの媒体にコピーして、この媒体の販売、貸し出しを行うものである。
このような行為によっては、正規でない映画の上映が行われたり、或いは、正規でない映画のパッケージメディアが出回ることになるから、著作権者側にとっては、深刻な問題となっている。
【０００６】
【課題を解決するための手段】
そこで本発明は、上記した課題を考慮して、プロジェクタ装置などによって実際に上映されている映画を隠し撮りするといった不正行為が防止されるようにすることを目的とする。
このために、映像表示装置として次のように構成することとした。
つまり、第１の色成分群を成す複数の色成分ごとに対応する映像光を形成する第１の映像光形成手段と、少なくとも、第１の映像光形成手段により形成された各色成分ごとの映像光を１つに合成することにより第１の表示映像光を形成する表示映像光形成手段とを備えることとする。
そして、第１の映像光形成手段は、第１の色成分群とは色成分の組み合わせが異なる、第２の色成分群の色成分ごとに対応する映像光を合成して形成されるべき第２の表示映像光と、同じ色度点及び輝度による第１の表示映像光が形成されるように、上記第１の色成分群を成す複数の色成分ごとの色成分値を設定し、この設定された色成分値に基づいて、第１の色成分群を成す複数の色成分ごとに対応する映像光を形成するように構成することとした。
【０００７】
また、映像表示方法としては次のように構成することとした。
つまり、第１の色成分群を成す複数の色成分ごとに対応する映像光を形成する第１の映像光形成手順と、少なくとも、第１の映像光形成手順により形成された各色成分ごとの映像光を１つに合成することにより第１の表示映像光を形成する表示映像光形成手順とを行うようにする。
そして、第１の映像光形成手順は、第１の色成分群とは色成分の組み合わせが異なる、第２の色成分群の色成分ごとに対応する映像光を合成して形成されるべき第２の表示映像光と、同じ色度点及び輝度による上記第１の表示映像光が形成されるように、第１の色成分群を成す複数の色成分ごとの色成分値を設定し、この設定された色成分値に基づいて、第１の色成分群を成す複数の色成分ごとに対応する映像光を形成するように構成する。
【０００８】
上記各構成によると、表示画像として、第１の色成分光群を成す複数の色成分光を合成した画像によりカラー画像を表示することが可能となっている。そして、第１の色成分光群によるカラー画像表示にあたっては、第２の色成分光群を成す複数の色成分光を合成して表現されるカラー画像の色と、視覚的に同じ色が得られるようにして、第１の色成分光群を成す各色成分光に対応する画像光を形成するようにされる。
ここで、第１の色成分光群と第２の色成分光群とでは、互いに色成分光の組み合わせが異なる。このため、上記のようにして視覚的に同じとされる色を表現しようとした場合、第１の色成分光群を成す各色成分光の色度点と、第２の色成分光群を成す各色成分光の色度点とは、異なるものが設定されることになる。
これにより、例えば、第１の色成分光群によって表示される画像を、第２の色成分光群に対応した方式により撮像光を得る撮像装置により撮影した場合、その撮影される画像の色は、上記した色度点の相違に基づいて、第１の色成分光群によって表示される画像の色とは異なったものとなる。
【０００９】
【発明の実施の形態】
本実施の形態としては、本発明をプロジェクタ装置に適用した場合を例に挙げる。
ここで、周知となっているプロジェクタ装置の基本的構成としては、次のようになる。
例えば、白色光源の光をリフレクタ等によりコリメートした光束を、色分解光学系によって、それぞれ異なる色成分による所定複数の色成分光に分解する。そして、これらの分解された色成分光の光束を、各色成分光に対応して設けられる二次元画像表示素子（光変調素子）に入光させる。ここで、二次元画像表示素子には、例えばＬＣＤ（Ｌｉｑｕｉｄ　Ｃｒｙｓｔａｌ　Ｄｉｓｐｌａｙ）が用いられる。各二次元画像表示素子では、各色成分光に対応した映像信号に基づいて、入光した光束について光変調を行い、これによって、各色成分光に対応する画像光を形成する。そして、これらの各色成分光に対応した画像光は、色合成光学系にて白色に合成し、例えば投射レンズを介して反射型若しくは透過型のスクリーンに対して拡大投射するようにされている。
【００１０】
そして、上記した基本構成を採るプロジェクタ装置として、現状においては、いわゆるＲＧＢ３板方式が広く採用されている。
つまり、色分解光学系によって、白色光をＲ，Ｇ，Ｂ（赤、緑、青）の３つの色成分光に分解し、二次元画像表示素子としては、Ｒ，Ｇ，Ｂの３色に対応して３枚を設けるようにされる。そして、各二次元画像表示素子については、Ｒ，Ｇ，Ｂの各色成分光に対応した映像信号に基づいて駆動するようにされる。そして、Ｒ，Ｇ，Ｂの各色成分光に対応する二次元画像表示素子により得られた画像光を色合成光学系により合成して、投射レンズによりスクリーンに拡大投射するものである。これにより、スクリーンに投射される画像としては、Ｒ，Ｇ，Ｂの３つの色成分によるカラー画像が表示されることとなるものである。
【００１１】
図１（ａ）は、Ｒ，Ｇ，Ｂにより表現可能な色の範囲を、色度図上で示しているものである。
周知のように、色度図上において示される、いわゆる馬蹄形の領域Ａｒ１は、その輪郭が単色光とされており、この世に存在するとされる色は、この馬蹄形の領域Ａｒ１の範囲内に全て含まれるものとして扱われている。そして、上記したＲ，Ｇ，Ｂの３色により表現可能な色の範囲は、同じ図１（ａ）において、領域Ａｒ２として示されている。つまり、色度表上において、単色光であるＲ，Ｇ，Ｂの各色の座標を取ると、これらの座標により、馬蹄形の領域Ａｒ１内に三角形の領域Ａｒ２が形成される。そして、この領域Ａｒ２としての範囲が、Ｒ，Ｇ，Ｂの３色により表現可能な色の範囲を示すことになるものである。
【００１２】
また、換言すれば、Ｒ，Ｇ，Ｂの３色により表現可能な色範囲は、三角形となる領域Ａｒ２のみに限られ、馬蹄形の領域Ａｒ１内において、領域Ａｒ２の範囲外となる色については表現できないということがいえる。
【００１３】
これに対して、例えば色成分として、Ｒ，Ｇ，Ｂに対して、例えばシアン（Ｃｙ）を加えると、図１（ｂ）の領域Ａｒ３に示すようにして、Ｒ，Ｇ，Ｂの３色の場合よりも、より広い色範囲を表現できることになる。
これをプロジェクタ装置に適用するのであれば、Ｒ，Ｇ，Ｂ，Ｃｙの４色に対応した４板式を採用することになる。つまり、色分解光学系によっては、白色光をＲ，Ｇ，Ｂ，Ｃｙの４つの色成分光に分解するようにし、二次元画像表示素子としても、Ｒ，Ｇ，Ｂ，Ｃｙの４色に対応して４枚を設けることになる。そして、各二次元画像表示素子についても、Ｒ，Ｇ，Ｂ，Ｃｙの各色成分光に対応した映像信号に基づいて駆動するようにされる。また、色合成光学系としても、Ｒ，Ｇ，Ｂ，Ｃｙの各色成分光に対応する二次元画像表示素子の画像光を合成して、投射レンズに入射させる構成を採ることになる。なお、このような４板式のプロジェクタ装置として、具体的な色分解光学系及び色合成光学系の構成については後述する。
この場合、スクリーンに投射されるカラー画像としては、図１（ｂ）の範囲Ａｒ３として示す範囲の色が表現可能となる。つまり、Ｒ，Ｇ，Ｂ対応の３板方式によるプロジェクタ装置よりも、より色再現性の高いカラー画像を表示させることが可能となるものである。また、光源となる白色光の帯域を有効に利用することにもなるので、光源の利用効率が向上して、輝度も向上するというメリットがある。
但し、現状の技術によっては、Ｒ，Ｇ，Ｂの３板式によるプロジェクタ装置によっても、人間が視覚的に認識する画像としては、必要充分な程度の表示画像品質が得られているという状況にある。
【００１４】
ここで、上記したＲ，Ｇ，Ｂ，Ｃｙの４色に対応する４板式のプロジェクタ装置を構成した場合における色再現の仕方について、図２により考察してみる。
図２の色度図においては、馬蹄形の領域Ａｒ１上において、各単色光としてのＲ，Ｇ，Ｂ，Ｃｙの座標（色度点）が示されている。つまり、
Ｒ（ＲＹ，Ｒｘ，Ｒｙ）
Ｇ（ＧＹ，Ｇｘ，Ｇｙ）
Ｂ（ＢＹ，Ｂｘ，Ｂｙ）
Ｃｙ（ＣＹ，Ｃｘ，Ｃｙ）
がそれぞれ、馬蹄形の領域Ａｒ１の輪郭上に示されている。
【００１５】
そして、この４板式のプロジェクタ装置により表現できる最大限の色範囲としては、図１（ｂ）によっても説明したように、Ｒ，Ｇ，Ｂ，Ｃｙの各座標により形成される四角形の領域Ａｒ３とされることになる。
また、人間の視覚的な観点から必要充分な色再現性が得られるとされる色範囲であることを前提とすれば、Ｒ，Ｇ，Ｂ，Ｃｙの４色のうちから、Ｒ，Ｇ，Ｂの３色を選択してもよい。つまり、Ｒ，Ｇ，Ｂの各座標により形成される三角形の領域Ａｒ２による色再現も可能とされる。さらには、Ｒ，Ｇ，Ｂ，Ｃｙの４色のうちから、Ｒ，Ｃｙ，Ｂを選択して、これらＲ，Ｃｙ，Ｂの各座標により形成される三角形の領域Ａｒ４による色再現を行っても、人間の視覚としては必要充分な色再現性が得られるものである。
【００１６】
そして、馬蹄形の領域Ａｒ１内において、Ｒ，Ｇ，Ｂの各座標により形成される三角形の領域Ａｒ２と、上記Ｒ，Ｃｙ，Ｂの各座標により形成される三角形の領域Ａｒ４とについては、互いに再現可能な色範囲の重複する三角形の重複領域Ａｒ５（図２において網線で示される領域）が存在することになる。
【００１７】
ここで、重複領域Ａｒ５の範囲にある色について、色再現を行いたい目標色をＴａｒｇｅｔ（Ｙ，ｘ，ｙ）であるとする。すると、Ｒ，Ｇ，Ｂ，Ｃｙの４板式のプロジェクタ装置によりこの目標色Ｔａｒｇｅｔ（Ｙ，ｘ，ｙ）について色再現を行うには、次の３つの再現の方法が在ることになる。
（１）Ｒ，Ｇ，Ｂの３色により再現する
（２）Ｒ，Ｃｙ，Ｂの３色により再現する
（３）Ｒ，Ｇ，Ｂ，Ｃｙの４色により再現する
つまり、Ｒ，Ｇ，Ｂ，Ｃｙの４板式のプロジェクタ装置の場合には、在る色を再現するのにあたり、分解された色成分光の組み合わせによって、複数の方法による色再現が可能とされることになる。これに対して、Ｒ，Ｇ，Ｂの３板式のプロジェクタ装置では、Ｒ，Ｇ，Ｂの３色により再現する１つの方法しか採ることができない。
【００１８】
このことを踏まえ、目標色Ｔａｒｇｅｔ（Ｙ，ｘ，ｙ）について、（１）Ｒ，Ｇ，Ｂの３色により再現する場合と、（２）Ｒ，Ｃｙ，Ｂの３色により再現する場合とで、具体例を挙げて比較してみることとする。
先ず、ここでは、Ｒ，Ｇ，Ｂ，Ｃｙと、目標色Ｔａｒｇｅｔの各座標値（色度点）について、図３（ａ）に示される値を取っていることとする。先ず、Ｒ，Ｇ，Ｂ，Ｃｙの各単色光については、
Ｒ（Ｒｘ，Ｒｙ）＝（０．６８，０．３）
Ｇ（Ｇｘ，Ｇｙ）＝（０．２２，０，７５）
Ｂ（Ｂｘ，Ｂｙ）＝（０．１１，０．０７）
Ｃｙ（Ｃｘ，Ｃｙ）＝（０．０１，０．５４）
により表されることとする。また、目標色Ｔａｒｇｅｔについては、
Ｔａｒｇｅｔ（ｘ，ｙ）＝（０．３１，０．３２）
であるとする。
【００１９】
そして、上記図３（ａ）に示すＲ，Ｇ，Ｂ，Ｃｙ及び目標色Ｔａｒｇｅｔの色度点が設定されている場合において、目標色ＴａｒｇｅｔをＲ，Ｇ，Ｂの３色により再現する場合には、Ｒ，Ｇ，Ｂは図３（ｂ）に示す値（色成分値）を取ることになる。つまり、
Ｒ＝０．２９９４７６
Ｇ＝０．２６６３５４
Ｂ＝０．４３４１７１
となる。なお、このＲ，Ｇ，Ｂの各値は、いわゆる色空間変換（Ｃｏｌｏｒ　Ｓｐａｃｅ　Ｃｏｎｖｅｒｓｉｏｎ）に基づいた演算によって求められるものである。
【００２０】
また、同じく、図３（ａ）に示すＲ，Ｇ，Ｂ，Ｃｙ及び目標色Ｔａｒｇｅｔの色度点が設定されている場合において、目標色ＴａｒｇｅｔをＲ，Ｃｙ，Ｂの３色により再現するのであれば、Ｒ，Ｃｙ，Ｂは、色空間変換に基づいた演算によって、図３（ｃ）に示すように、
Ｒ＝０．４０９０７５
Ｃｙ＝０．３３１７２９
Ｂ＝０．２５９１９６
として表される。
【００２１】
ここで、Ｒ，Ｇ，Ｂの３色の色成分光により色再現を行う場合と、Ｒ，Ｃｙ，Ｂの３色の色成分光により色再現を行う場合とでは、Ｒ，Ｂの色成分が共通に用いられている。しかしながら、図３（ｂ）（ｃ）におけるＲ，Ｂの値について比較してみると、同じ目標色Ｔａｒｇｅｔを再現するのにも、Ｒ，Ｇ，Ｂの３色による場合と、Ｒ，Ｃｙ，Ｂの３色による場合とでは、Ｒ，Ｂの値が互いに異なっていることが分かる。つまり、色再現として、Ｒ，Ｇ，Ｂの３色による場合と、Ｒ，Ｃｙ，Ｂの３色による場合とでは、たとえ色成分光としてＲ，Ｂが共通であっても、ＧとＣｙが異なっているから、同じ色度点を再現しようとした場合には、必然的にＲ，Ｂの値が異なってくるものである。
【００２２】
そして、例えばここで、プロジェクタ装置により、或る１つの目標色Ｔａｒｇｅｔを、Ｒ，Ｇ，Ｂの３色により色再現して表示させた画像（Ｒ，Ｇ，Ｂ対応画像）と、同じ目標色ＴａｒｇｅｔをＲ，Ｃｙ，Ｂの３色により色再現して表示させた画像（Ｒ，Ｃｙ，Ｂ対応画像）とが表示されていると仮定する。そして、この両者の画像をカメラにより撮影した場合には、次のような現象が得られる。
【００２３】
上記のようにして表示されるＲ，Ｇ，Ｂ対応画像とＲ，Ｃｙ，Ｂ対応画像は、人間の視覚上では、同一の色に見える。しかしながら、例えば、一般にデジタルカメラ装置（ビデオカメラ等を含む）においては、Ｒ，Ｇ，Ｂ方式に基づいて撮像してカラー撮像画像を形成する構成が採られている。そして、このようなカメラ装置により、Ｒ，Ｇ，Ｂ対応画像を撮影した場合と、Ｒ，Ｃｙ，Ｂ対応画像を撮影した場合とでは、撮像画像形成処理に使用するＲ，Ｂ値が異なることとなる。この結果、カメラにより撮影されるＲ，Ｇ，Ｂ対応画像とＲ，Ｃｙ，Ｂ対応画像とでは、明らかに両者が異なる色となる。つまり、Ｒ，Ｇ，Ｂ対応画像は、人間が視覚的に見た場合とほぼ同様の色となるが、Ｒ，Ｃｙ，Ｂ対応画像では、人間が視覚的に見た場合とは、全く異なる色となる。このような相違は、Ｒ，Ｂ値が異なっている以上、カメラにより撮影される画像について、共通ではないＧの値をどのように変更したとしても、同じ色とすることはできない。
【００２４】
本実施の形態のプロジェクタ装置としては、この点に着目して、次のようにして隠し撮りを防止可能な構成を採るようにされる。
つまり、本実施の形態のプロジェクタ装置としては、基本的な投射表示画像（原画像）としては、Ｒ，Ｇ，Ｂ対応画像とする。そのうえで、このＲ，Ｇ，Ｂ対応画像としての画像領域内において、Ｒ，Ｃｙ，Ｂ対応画像としての画像部分を、隠し撮り防止画像部として埋め込む（インポーズさせる）ようにされる。
【００２５】
例えば、ここで、プロジェクタ装置により、Ｒ，Ｇ，Ｂ対応画像として表示される原画像が、図４（ａ）に示す表示画像Ｐであるとする。
本実施の形態では、このようにして表示される原画像上に対して、例えば図４（ｂ）に示すようにして、Ｒ，Ｃｙ，Ｂ対応画像としての画像部分を、隠し撮り防止画像部分Ｐｐｒとして埋め込むようにされる。この場合には、隠し撮り防止画像部分Ｐｐｒとしては、×印の形状とされている。
【００２６】
このようにして表示される図４（ｂ）に示す表示画像Ｐ全体は、先の説明からも理解されるように、鑑賞者である人間にとっては、図４（ａ）に示す原画像（Ｒ，Ｇ，Ｂ対応画像）のみを表示させた状態と同様の画像状態として見える。つまり、鑑賞者が図４（ｂ）に示す表示画像Ｐを鑑賞している限りは、何の問題もない正常な画像として鑑賞することができる。
しかしながら、この図４（ｂ）に示す表示画像Ｐを、例えばカメラなどにより撮像した場合には、表示画像Ｐ内において、Ｒ，Ｃｙ，Ｂ対応画像により形成される隠し撮り防止画像部分Ｐｐｒとしての×印の部分のみが、人間が見えていた色とは異なる色に変わることになる。
従って、例えば図４（ｂ）に示す表示画像Ｐをビデオカメラにより撮影して録画を行ったとしても、この録画された画像は、隠し撮り防止画像部分Ｐｐｒとしての×印の部分が、本来あるべき色とは異なっている、つまり、原画像に余計で邪魔なものものが表示されているというように見えるわけであり、品質のよくない画像とし扱われることになる。このようにして、品質の劣る画像が録画されてしまうことで、隠し撮りをして録画した画像を無断で上映したり、また、媒体に記録して頒布することなどは、できないことになる。つまりは、隠し撮りによる不正行為が防止されるものである。
【００２７】
ここで、表示画像Ｐにおける隠し撮り防止画像部分Ｐｐｒの埋め込み方としては、各種考えることができる。例えば図４（ｂ）には、表示画像Ｐ上で、×印の隠し撮り防止画像部分Ｐｐｒを埋め込むこととしているが、隠し撮り防止画像部分Ｐｐｒとしての形状、デザインは、各種考えられるものである。例えば、×印以外の他の模様、デザインであってもよいし、また、何らかの文字が１以上埋め込まれるようにしてもよい。
【００２８】
また、隠し撮り防止画像部分Ｐｐｒは、表示画像Ｐ上において、１つの画像部分としての形状パターンが静止画的に表示されるようにしてもよいが、時間経過に応じて、周期的又はランダム的に何らかの変化が与えられるようにすることも考えられる。
具体例としては、例えば図４（ｂ）に示す×印の隠し撮り防止画像部分Ｐｐｒを、同じ形状で、同じ表示画像Ｐ上の位置にて静止するようにして、表示させてもよいのであるが、例えば、図５（ａ）→（ｂ）→（ｃ）の遷移として示すようにして、×印の隠し撮り防止画像部分Ｐｐｒを、表示画像Ｐ上で、時間経過に応じて移動させるようにして表示させ、これを周期的に繰り返すようにすることが考えられる。この場合には、時間経過に応じて、表示画像Ｐの左から隠し撮り防止画像部分Ｐｐｒが現れ、右に移動していく例を示している。
【００２９】
また、隠し撮り防止画像部分Ｐｐｒを文字とした場合には、例えば、図６（ａ）→（ｂ）→（ｃ）の遷移として示すように、複数の文字列を所定方向にスクロールさせ、これを例えば周期的に繰り返すようにして、隠し撮り防止画像部分Ｐｐｒの埋め込みパターンに変化を与えるようにすることも考えられる。
さらに、図示は省略するが、隠し撮り防止画像部分Ｐｐｒのサイズを、時間経過に応じて変えていくような変化を与えることも考えられる。
【００３０】
このようにして、隠し撮り防止画像部分Ｐｐｒの埋め込みパターンに変化を与えれば、隠し撮りによる不正行為の防止をより強いものにすることができる。つまり、隠し撮り防止画像部分Ｐｐｒを表示画像Ｐに埋め込んだとしても、録画後のビデオデータについて画像処理を施すことで、隠し撮り防止画像部分Ｐｐｒの色が本来の色に修正される可能性は無いとはいえない。このようなことを考えると、隠し撮り防止画像部分Ｐｐｒを固定的（静止画的）に埋め込んだ場合のほうが、修正しやすいということがいえる。そこで、隠し撮り防止画像部分Ｐｐｒの埋め込みパターンに変化を与えれば、上記した隠し撮り防止画像部分Ｐｐｒの色の修正は、より困難となるものであり、それだけ、不正行為の防止が強化されるわけである。
従って、隠し撮り防止画像部分Ｐｐｒの埋め込みパターンとしては、例えば、比較的複雑な形状の隠し撮り防止画像部分Ｐｐｒを、時間経過に応じてランダムに出現させるなどして、できるだけ複雑であったり、また、ランダム性を有していることが好ましいということがいえる。
【００３１】
続いては、上記のようにして、原画像であるＲ，Ｇ，Ｂ対応画像に、隠し撮り防止画像部分ＰｐｒとしてのＲ，Ｃｙ，Ｂ対応画像を埋め込むことのできる、本実施の形態としてのプロジェクタ装置の構成について、説明を行っていくこととする。
【００３２】
ここで、本実施の形態のプロジェクタ装置としては、Ｒ，Ｇ，Ｂ対応画像とＲ，Ｃｙ，Ｂ対応画像とを形成して投射表示可能な構成を採る必要がある。先にも述べたように、Ｒ，Ｇ，Ｂ，Ｃｙ対応の４板式のプロジェクタ装置であれば、同じ色をＲ，Ｇ，Ｂの３色の色成分光と、Ｒ，Ｃｙ，Ｂの３色の色成分光により再現することが可能である。従って、本実施の形態のプロジェクタ装置としては、Ｒ，Ｇ，Ｂ，Ｃｙ対応の４板式の構成を採ればよいことになる。
【００３３】
そこで先ず、Ｒ，Ｇ，Ｂ，Ｃｙ対応の４板式のプロジェクタ装置の構成として、色分解光学系の構成例を図７に模式的に示す。
この図に示す色分解光学系においては、光源１として、例えばメタルハライドランプ等から成るランプ２とリフレクタ３（放物面鏡）が示されている。ランプ２は、リフレクタ３の焦点位置に配置される。ランプ２から照射された白色光は、リフレクタ３により反射されて光軸にほぼ平行となるようにコリメートされて、リフレクタ３の開口部から光束として出射される。
【００３４】
この図では、上記リフレクタ２の開口部から出射された白色光としての光束は、先ず、Ｒ反射ダイクロイックミラー４に対して到達するようになっている。Ｒ反射ダイクロイックミラー４によっては、赤の色成分光である光束Ｒが反射されて分離し、残る帯域の光束が透過されることになる。
このＲ反射ダイクロイックミラー４を透過した光束は、Ｇ反射ダイクロイックミラー５に到達する。Ｇ反射ダイクロイックミラー５では、緑の色成分光である光束Ｇが反射されて分離し、残る帯域の光束が透過される。そして、Ｇ反射ダイクロイックミラー５を透過した光束は、Ｃｙ反射ダイクロイックミラー６に到達することで、ここで、シアンの色成分光の光束Ｃｙが反射されて分離し、残る帯域の光束が透過することになる。このＣｙ反射ダイクロイックミラー６を透過した光束が、青の色成分光である光束Ｂとされることになる。
【００３５】
なお、上記図７に示した色分解光学系の構成は、あくまでも基本概念的なものである。従って、光源１から出射される光束の光軸に沿った、色分解のためのダイクロイックミラーの配置順などは、例えば後段の色合成光学系との位置関係などに応じて適宜変更されて構わない。
また、ここでは図示していないが、上記のようにして、色分解光学系により光源１からの白色光を分解して得られた各色成分の光束Ｒ，Ｇ，Ｃｙ，Ｂは、各色に対応した光変調素子（液晶パネル）、若しくは反射型の光変調素子に光を入射させるための偏光ビームスプリッタなどに対して、しかるべき方向から入射されるように、必要に応じてミラーなどによってその光路が変換される。
また、実際の色分離光学系内、及び色分離光学系から光変調素子（液晶パネル）又は色合成光学系に至るまでの光路においては、光源１からの白色光から、赤外領域及び紫外領域の不要光線を遮断するフィルタや、光束が効率よく光変調素子に入射するようにするためのマルチレンズアレイ、リレーレンズ、コンデンサレンズなどが、必要に応じて配置される。
【００３６】
上記のようにして色分解光学系により分解された各色成分の光束Ｒ，Ｇ，Ｃｙ，Ｂは、それぞれの色成分に対応する光変調素子に対して入射され、この光変調素子により光変調される。本実施の形態における光変調素子は、例えば後述もするように、透過型又は反射型の液晶パネルとされる。これら液晶パネルは、Ｒ，Ｇ，Ｃｙ，Ｂの各色成分に対応する映像信号に基づいて駆動されることで光変調を行う。そして、これら液晶パネルによって光変調が行われることによって、各色成分に対応した画像光としての光束が得られる。そして、これらの光変調された各色の光束が、再度、色合成光学系により合成されて投射レンズに入射されることになる。
そこで続いては、本実施の形態としての色合成光学系の構成例を、各色に対応する液晶パネル、及び投射レンズの位置関係により示す。ここでは、色合成光学系の構成例として、第１例から第５例までの５例を挙げることとする。
【００３７】
図８は、第１例としての色合成光学系の構成例を示している。この第１例の色合成光学系は、光変調素子である液晶パネルとして透過型を採用した場合に対応した構成とされる。図８においては、光束Ｒ，Ｇ，Ｃｙ，Ｂの各色用の透過型液晶パネルを、それぞれ、Ｒパネル１１、Ｇパネル１２、Ｃｙパネル１３、Ｂパネル１４として示している。
この場合には、先ず、投射レンズ２５の光軸上に、Ｒパネル１１、Ｇ反射ダイクロイックミラー２１、及びＣｙ，Ｂ反射ダイクロイックミラー２４を順次配置している。このＲパネル１１を透過することで光変調された光束Ｒ（色成分Ｒの映像光）は、Ｇ反射ダイクロイックミラー２１とＣｙ，Ｂ反射ダイクロイックミラー２４をそれぞれ透過して、投射レンズ２５に入射される。
また、投射レンズ２５の光軸に対して９０°の角度から、Ｇパネル１２に入射して光変調された光束Ｇ（色成分Ｇの映像光）は、Ｇ反射ダイクロイックミラー２１にて反射することで進行方向が９０°変換され、Ｃｙ，Ｂ反射ダイクロイックミラー２４を透過して、投射レンズ２５に入射する。
また、図示する位置に配置されるＣｙパネル１３を透過して光変調された光束Ｃｙ（色成分Ｃｙの映像光）は、Ｃｙ反射ダイクロイックミラー２３にて進行方向が９０°変換されるようにして反射し、Ｃｙ，Ｂ反射ダイクロイックミラー２４に到達する。この光束Ｃｙは、Ｃｙ，Ｂ反射ダイクロイックミラー２４にても進行方向が９０°変換されるようにして反射して、投射レンズ２５に入射する。また、光束Ｂは、図示する位置に配置されるＢパネル１４を透過して光変調される。そして、この光変調された光束Ｂ（色成分Ｂの映像光）は、Ｃｙ反射ダイクロイックミラー２３を透過してＣｙ，Ｂ反射ダイクロイックミラー２４にて反射され、投射レンズ２５に入射する。
これにより、光変調後の各光束Ｒ，Ｇ，Ｃｙ，Ｂを１つの光束に合成した状態で、表示映像光として投射レンズ２５に入射させることが可能になる。そして、投射レンズ２５では、入射された光束（表示映像光）を投射光に変換してスクリーンに対して拡大投射する。この結果、スクリーンには、拡大された表示映像光が画像として表示されることになる。
【００３８】
図９は、第２例としての色合成光学系の構成例を示している。この図に示す構成においても、光変調素子としては透過型液晶パネルが採用されている。
この図に示す色合成光学系としては、図示するようにして、Ｒ，Ｇ，Ｃｙ，Ｂの各色に対応する液晶パネルである、Ｒパネル１１、Ｇパネル１２、Ｃｙパネル１３，Ｂパネル１４と、クロスダイクロイックプリズム３１、反射用プリズム３２、ダイクロイックプリズム３３を備えた構成となっている。
クロスダイクロイックプリズム３１に対しては、３面にそれぞれ液晶パネルが配置される。つまり、図示するように、Ｒパネル１１、Ｇパネル１２、Ｂパネル１４が配置される。残る１面に対しては、ダイクロイックプリズム３３が配置される。また、反射用プリズム３２は、ダイクロイックプリズム３３を介してクロスダイクロイックプリズム３１に対して９０°となる位置関係により配置される。そして、反射用プリズム３２の１面に対してＣｙパネル１３を配置している。
【００３９】
Ｒパネル１１を透過して光変調された光束Ｒは、クロスダイクロイックプリズム３１に入射し、反射面３１ａにより投射レンズ２５の光軸に沿うようにして９０°光路が変換され、ダイクロイックプリズム３３に到達する。そして、ダイクロイックプリズム３３内の反射面３３ａを透過して直進し、投射レンズ２５に入射される。
また、Ｇパネル１２を透過して光変調された光束Ｇは、クロスダイクロイックプリズム３１内の反射面３１ａ，３１ｂにて反射することなくそのまま透過し、ダイクロイックプリズム３３に到達する。そして、このダイクロイックプリズム３３内の反射面３３ａを透過して投射レンズ２５に入射する。
また、光束Ｒとは対向する方向からＢパネル１４を透過する光束Ｂも、クロスダイクロイックプリズム３１に入射し、この場合には、反射面３１ｂにより投射レンズ２５の光軸に沿うようにして進路が９０°変換され、ダイクロイックプリズム３３に入射する。そして、ダイクロイックプリズム３３内の反射面３３ａを透過して投射レンズ２５に入射する。
また、Ｃｙパネル１３を透過して光変調された光束Ｃｙは、反射用プリズム３２に入射し、この反射用プリズム３２内の反射面３２ａにて、進路がダイクロイックプリズム３３への入射方向となるように９０°変換される。そして、ダイクロイックプリズム３３内では、反射面３３ａによって、さらに進路が９０°変換されて投射レンズ２５へ入射することになる。
従ってこの場合にも、光変調された各光束（映像光）Ｒ，Ｇ，Ｃｙ，Ｂを１つの光束（表示映像光）として合成した状態で投射レンズ２５に入射させることが可能になる。
【００４０】
図１０は、第３例としての色合成光学系の構成例を示している。この第３例においては、光変調素子として反射型液晶パネルが採用される。ここでは、Ｒ，Ｇ，Ｃｙ，Ｂの各色に対応する反射型液晶パネルについて、Ｒパネル１１Ａ，Ｇパネル１２Ａ，Ｃｙパネル１３Ａ，Ｂパネル１４Ａとして示している。
この図に示す色合成光学系としては、投射レンズ２５の光軸上において、この投射レンズ２５側に最も近い位置に、ダイクロイックプリズム４４が配置される。　そして、ダイクロイックプリズム４４に対しては、投射レンズ２５の光軸と直交する面側に偏光ビームスプリッタ４３を配置し、投射レンズ２５の光軸に対して９０°となる光軸と直交する面側に偏光ビームスプリッタ４２を配置するようにしている。
【００４１】
偏光ビームスプリッタ４２の２面には、それぞれＲパネル１１Ａ，Ｂパネル１４Ａが配置される。また、他の１面には、Ｒ位相差板４１が配置される。
また、偏光ビームスプリッタ４３の２面に対しては、それぞれＧパネル１２Ａ、Ｃｙパネル１３Ａが配置され、他の１面には、Ｇ位相差板４２が配置される。
【００４２】
この場合、色分解光学系により分解された各光束Ｒ，Ｇ，Ｃｙ，Ｂのうち、光束Ｒ，Ｂについては、図示するように、共にＲ位相差板４１に対して入射されるようになっている。また、Ｒ位相差板４１に対して入射される段階での光束Ｒ，Ｂは、Ｐ波又はＳ波の何れかによる同じ振動面（偏光方向）となるようにされている。
また、光束Ｃｙ，Ｇについては、共にＧ位相差板４２に入射されるようになっている。また、これら光束Ｃｙ，Ｇについても、Ｇ位相差板４２に入射される段階では、Ｐ波又はＳ波の何れかによる同じ偏光方向となるようにされている。説明上、ここでは、光束Ｒ，Ｂ、光束Ｃｙ，Ｇで共に、Ｐ波とされていることとする。
【００４３】
Ｒ位相差板４１は、入射された光束Ｒと光束Ｂのうち、光束Ｒについてのみ偏光方向をＳ波に変換し、光束Ｂについては、Ｐ波のまま偏光方向を変換せずに透過させる。つまり、偏光方向を変換するのにあたり、色選択性を有している。
Ｒ位相差板４１を透過した光束Ｒ，光束Ｂは、偏光ビームスプリッタ４２に入射して、その内部の反射面４２ａに到達する。この反射面４２ａは、Ｓ波を反射し、Ｐ波を透過させる。このため、反射面４２ａでは光束Ｒが反射され、光束Ｂは反射せずに透過して直進することになる。これにより、光束Ｒ，光束Ｂについての色及び進路の分離が行われる。
反射面４２ａにより反射された光束Ｒは、Ｒパネル１１Ａに入射する。Ｒパネル１１Ａに入射された光束Ｒは、光変調が行われると共に、Ｐ波に変換されて反射され、再び偏光ビームスプリッタ４２に入射する。Ｐ波である光束Ｒは、反射面４２ａを透過してダイクロイックプリズム４４に入射する。
また、反射面４２ａを透過して直進した光束Ｂは、Ｂパネル１４Ａに入射し、ここで光変調及びＳ波への変換が行われて反射され、偏光ビームスプリッタ４２に入射する。このときＳ波である光束Ｂは、反射面４２ａにより進路が９０°変換されるようにして反射することで、ダイクロイックプリズム４４に入射する。このようにして、光変調された光束Ｒ，Ｂは、再び合成された状態で、ダイクロイックプリズム４４に入射することになる。
【００４４】
また、前述もしたように、光束Ｃｙ，Ｇ（共にＰ波であるとする）は、Ｇ位相差板４２に対して入射される。このＧ位相差板４２も、色選択性を有するものとされ、緑色（Ｇ）の光のみについて、偏光方向を変換する。
このため、Ｇ位相差板４２では、Ｐ波として入射された光束Ｃｙ，Ｇのうち、光束Ｇについては偏光方向をＳ波に変換し、光束Ｃｙについては、Ｐ波のまま偏光方向を変換せずに透過させる。
Ｇ位相差板４２を透過した光束Ｃｙ，Ｇは、偏光ビームスプリッタ４３に入射して、内部の反射面４３ａに到達する。この場合の反射面４３ａも、Ｓ波を反射し、Ｐ波を透過させるようにされている。これにより、反射面４３ａでは光束Ｇが反射され、光束Ｂは反射せずに透過して直進することとなり、光束Ｃｙ，Ｇについての色及び進路の分離が行われる。
【００４５】
反射面４３ａにより反射された光束Ｇは、Ｇパネル１１Ａに入射し、光変調及びＰ波への変換が行われて反射される。そして、再び偏光ビームスプリッタ４２に入射して、反射面４３ａを透過してダイクロイックプリズム４４に入射する。また、反射面４３ａを透過して直進した光束Ｃｙは、Ｃｙパネル１３Ａに入射し、光変調及びＳ波への変換が行われて反射される。そして、偏光ビームスプリッタ４２に再度入射して、反射面４３ａにより進路が９０°変換されるようにして反射し、ダイクロイックプリズム４４に入射する。
このようにして、光変調された光束Ｃｙ，Ｇについても、再び合成された状態で、ダイクロイックプリズム４４に入射されることになる。
【００４６】
ダイクロイックプリズム４４の反射面４４ａは、赤色（Ｒ）及び青色（Ｂ）の光を反射し、シアン（Ｃｙ）及び緑色（Ｇ）の光は透過するようになっている。これにより、偏光ビームスプリッタ４２側から、ダイクロイックプリズム４４に入射する光束Ｒ，Ｂは、反射面４４ａにて反射して投射レンズ２５に入射されることになる。
また、偏光ビームスプリッタ４３側から入射する光束Ｃｙ，Ｇは、反射面４４ａを透過して直進して投射レンズ２５に入射される。
つまり、ダイクロイックプリズム４４から投射レンズ２５に入射する光束としては、光変調された各光束Ｒ，Ｇ，Ｂ，Ｃｙが１つに合成されたものとすることができている。
なお、ダイクロイックプリズム４４に代えて、偏光ビームスプリッタを備えた光学素子ブロックを配置してもよい。また、この第３例に関しては、色合成光学系に入射される光束は、光束Ｒ，Ｂが合成されたものと、光束Ｃｙ，Ｇが合成されたものとの２本となる。従って、この場合の色分離光学系は、図７に示したようにＲ，Ｇ，Ｂ，Ｃｙの各光束ごとに色分離する構成に代えて、光束Ｒ＋Ｂと、光束Ｃｙ＋Ｇとの２本の光束に色分離する構成を採ってもよいものとされる。
【００４７】
図１１は、第４例としての色合成光学系の構成例を示している。この第４例においても、光変調素子として反射型液晶パネルが採用される。
ここでは先ず、クロスダイクロイックプリズム５５が配置される。そして、このクロスダイクロイックプリズム５５の３面に対して、偏光ビームスプリッタ５１，５２，５３を配置する。そして、これらの偏光ビームスプリッタ５１，５２，５３において、クロスダイクロイックプリズム５５との対向面と反対側にある面には、それぞれ反射型液晶パネルを配置する。ここでは、偏光ビームスプリッタ５１，５２，５３に対して、それぞれＲパネル１１Ａ、Ｇパネル１２Ａ、Ｃｙパネル１３Ａを配置している。そして、このクロスダイクロイックプリズム５５の残る１面側と、投射レンズ２５との間に対して、ダイクロイックプリズム５７を配置する。クロスダイクロイックプリズム５５とダイクロイックプリズム５７は、投射レンズ２５の光軸上に沿って配置されることになる。
【００４８】
上記ダイクロイックプリズム５７については、投射レンズ２５の光軸と直交する光路上にあるとされる１面には、ダミープリズム５６（または偏光ビームスプリッタ）を配置し、さらに、このダミープリズム５６の１面に対して偏光ビームスプリッタ５４を配置する。そして、偏光ビームスプリッタの１面対しては、残る１枚の反射型液晶パネルであるＢパネル１４Ａを配置する。
ダミープリズム５６は、Ｂパネル１４Ａから投射レンズ２５に至るまでの光束Ｂの光路距離と、他の液晶パネル（Ｒパネル１１Ａ，Ｇパネル１２Ａ、Ｃｙパネル１３Ａ）から投射レンズ２５に至るまでの光束Ｒ，Ｇ，Ｃｙの光路距離とを同一となるように調節するために配置されるものである。
【００４９】
ここで、偏光ビームスプリッタ５１，５２，５３，５４に入射する光束Ｒ，Ｇ，ＣＹ，Ｂの各々は、Ｐ波又はＳ波の何れか一方の偏光方向が与えられているものとする。そして、偏光ビームスプリッタ５１，５２，５３，５４の各反射面５１ａ，５２ａ，５３ａ，５４ａは、それぞれ、入射光束に与えられている偏光方向の光を反射するようにされている。
【００５０】
光束Ｒは、偏光ビームスプリッタ５１に入射することで反射面５１ａにより反射され、Ｒパネル１１Ａに入射する。Ｒパネル１１Ａでは、入射された光束Ｒについて変調及び偏光面の変換を行って反射させ、再度、偏光ビームスプリッタ５１に入射させる。このとき偏光ビームスプリッタ５１に入射した光変調後の光束Ｒは、反射面５１ａを透過して、クロスダイクロイックプリズム５５に入射する。
【００５１】
偏光ビームスプリッタ５２に入射した光束Ｇも、上記と同様にして、反射面５２ａにて反射してＧパネル１２Ａに入射し、光変調及び偏光面の変換が行われて反射され、再度、偏光ビームスプリッタ５２に対して入射する。この偏光ビームスプリッタ５２に再度入射した光束Ｇは、反射面５２ａを透過して、クロスダイクロイックプリズム５５に入射する。
同様に、偏光ビームスプリッタ５３に入射した光束Ｃｙは、反射面５３ａにて反射してＣｙパネル１３Ａに入射し、光変調及び偏光面の変換が行われて反射され、この偏光ビームスプリッタ５３に再度入射した光束Ｃｙは、反射面５３ａを透過して、クロスダイクロイックプリズム５５に入射する。
【００５２】
クロスダイクロイックプリズム５５には、２つの反射面５５ａ，５５ｂが交差するようにして形成されている。反射面５５ａは、シアン（Ｃｙ）の光を反射し、例えば赤（Ｒ）、緑（Ｇ）の光は透過するようにされている。反射面５５ｂは、赤（Ｒ）の光を反射し、シアン（Ｃｙ）、緑（Ｇ）の光は透過するようにされている。
これにより、クロスダイクロイックプリズム５５に入射した光束Ｒ、Ｃｙ、Ｇのうち、光束Ｒは、反射面５５ｂにて反射してダイクロイックプリズム５７に入射することになる。光束Ｃｙは、反射面５５ａにて反射してダイクロイックプリズム５７に入射する。光束Ｇは、反射面５５ａ，５５ｂを透過してダイクロイックプリズム５７に入射する。
【００５３】
また、偏光ビームスプリッタ５４に入射した光束Ｂは、反射面５４ａにて反射してＢパネル１４Ａに入射する。そして、Ｂパネル１４Ａでは、光束Ｂについて光変調及び偏光面の変換を行って反射させ、再度、偏光ビームスプリッタ５４に対して入射させる。この偏光ビームスプリッタ５４に再度入射した光束Ｂは、反射面５４ａを透過して、ダミープリズム５６を介してクロスダイクロイックプリズム５５に入射する。
【００５４】
上記のようにして、ダイクロイックプリズム５７には、投射レンズ２５の光軸方向に沿って、光変調後の光束Ｒ，Ｇ，Ｃｙが合成された光束が入射される。また、投射レンズ２５の光軸に直交する方向からは、光変調後の光束Ｂが入射される。
ダイクロイックプリズム５７の反射面５７ａは、青（Ｂ）の光を反射し、例えば赤（Ｒ）、緑（Ｇ）、シアン（Ｃｙ）の光を透過させるようになっている。これにより、ダイクロイックプリズム５７に入射された光束Ｒ，Ｇ，Ｃｙは、反射面５７ａを透過して直進して投射レンズ２５に入射する。また、光束Ｂは、反射面５７ａにて反射されて９０°進路が変更されることで投射レンズ２５に入射することになる。このようにして、ダイクロイックプリズム５７からは、光変調後の光束Ｒ，Ｇ，Ｃｙ，Ｂを１つに合成して投射レンズ２５に入射させることができるようになっている。
【００５５】
図１２は、第５例としての色合成光学系の構成例を示している。この第５例も、光変調素子として反射型液晶パネルを採用している。
この構成では、３つのダイクロイックプリズム６５，６６，６７が備えられている。
ダイクロイックプリズム６５については、その２つの各面に対して偏光ビームスプリッタ６１，６２が配置される。また、他の１面側と投射レンズ２５との間にダイクロイックプリズム６７が配置される。この場合、ダイクロイックプリズム６５，６７は、投射レンズ２５の光軸上に位置するようにして配置されることになる。
そして、偏光ビームスプリッタ６１，６２の各１面には、それぞれＲパネル１１Ａ、Ｇパネル１２Ａが配置される。
【００５６】
また、ダイクロイックプリズム６７の面のうち、投射レンズ２５の光軸と直交する光軸上に位置する面に対しては、図示するようにして、ダイクロイックプリズム６６が配置される。そして、ダイクロイックプリズム６６の２つの各面に対しても、２つの偏光ビームスプリッタ６３，６４が配置され、これら偏光ビームスプリッタ６１，６２に対しては、それぞれ、Ｃｙパネル１３Ａ，Ｂパネル１４Ａが配置される。
【００５７】
この場合にも、図１１の場合と同様に、偏光ビームスプリッタ６１，６２，６３，６４に入射する光束Ｒ，Ｇ，ＣＹ，Ｂの各々は、Ｐ波又はＳ波の何れか一方の偏光方向が与えられているものとされる。そして、偏光ビームスプリッタ６１，６２，６３，６４の各反射面６１ａ，６２ａ，６３ａ，６４ａは、それぞれ、入射光束に与えられている偏光方向の光を反射するようになっている。
【００５８】
偏光ビームスプリッタ６１に入射した光束Ｒは、反射面６１ａにより反射してＲパネル１１Ａに入射し、ここで変調及び偏光面変換されて反射することで、再度偏光ビームスプリッタ６１に入射する。そして、反射面６１ａを透過して、ダイクロイックプリズム６５に入射する。
偏光ビームスプリッタ６２に入射した光束Ｇは、反射面６２ａにより反射してＧパネル１２Ａに入射し、ここで変調及び偏光面変換されて反射することで、再度偏光ビームスプリッタ６２に入射する。そして、反射面６２ａを透過して、ダイクロイックプリズム６５に入射する。
【００５９】
ダイクロイックプリズム６５の反射面６５ａは、赤（Ｒ）の光を反射し、緑（Ｇ）の光は透過させる。このため、ダイクロイックプリズム６５に入射された、光変調後の光束Ｒ，Ｇは、合成された状態でダイクロイックプリズム６７に入射される。
【００６０】
また、偏光ビームスプリッタ６３に入射した光束Ｃｙは、反射面６３ａにより反射してＣｙパネル１３Ａに入射し、ここで変調及び偏光面変換されて反射することで、再度偏光ビームスプリッタ６３に入射する。そして、反射面６３ａを透過して、ダイクロイックプリズム６６に入射する。
偏光ビームスプリッタ６４に入射した光束Ｂは、反射面６４ａにより反射してＢパネル１４Ａに入射し、ここで変調及び偏光面変換されて反射することで、再度偏光ビームスプリッタ６４に入射する。そして、反射面６４ａを透過して、ダイクロイックプリズム６６に入射する。
ダイクロイックプリズム６６の反射面６６ａは、シアン（Ｃｙ）の光を反射し、青（Ｂ）の光は透過させる。このため、ダイクロイックプリズム６６に入射された光変調後の光束Ｃｙ，Ｂも、合成された状態でダイクロイックプリズム６７に入射されることになる。
【００６１】
ダイクロイックプリズム６７には、上記のようにして光変調後の光束Ｒ，Ｇが合成された光束が、投射レンズ２５の光軸に沿って入射される。また、投射レンズ２５の光軸に直交する方向からは、光変調後の光束Ｃｙ，Ｂが合成された光束が入射される。
そして、ダイクロイックプリズム６７の反射面６７ａは、赤（Ｒ）、緑（Ｇ）の光は透過させ、シアン（Ｃｙ）、青（Ｂ）の光を反射するようになっている。これにより、ダイクロイックプリズム６７によっては、光束Ｒ，Ｇが反射面６７ａを透過して投射レンズ２５に入射され、光束Ｃｙ，Ｂが反射面６７ａにより反射して進路が変換されることで、投射レンズ２５に入射される。このようにして、第５例としても、投射レンズ２５に対して、光束Ｒ，Ｇ，Ｃｙ，Ｂを１つに合成して入射させることができる構造となっている。
【００６２】
本実施の形態のプロジェクタ装置としては、上記図８に例示した色合成光学系と、図９〜図１２に示した色合成光学系を備えることで、Ｒ，Ｇ，Ｂ，Ｃｙの４色に対応する４板式としての基本構成が得られることになる。そのうえで、本実施の形態のプロジェクタ装置は、図１〜図３により説明した原理に基づいて、図４〜図６に例示したように、Ｒ，Ｇ，Ｂの３色により表示される原画像上に対して、所定の表示態様によって、Ｒ，Ｃｙ，Ｂの３色から成る隠し撮り防止画像部分Ｐｐｒを埋め込むための構成を採ることになる。
【００６３】
図１３は、本実施の形態のプロジェクタ装置における、光変調素子としての液晶パネルを駆動するための駆動回路系の構成を示している。この図に示す駆動回路系の構成を採ることにより、上記のようにして、Ｒ，Ｇ，Ｂの３色による原画像上にＲ，Ｃｙ，Ｂの３色から成る隠し撮り防止画像部分Ｐｐｒを埋め込むことが可能となる。
なお、この図においては、液晶パネルとして、Ｒパネル１１，１１Ａ、Ｇパネル１２，１２Ａ、Ｃｙパネル１３，１３Ａ、Ｂパネル１４，１４Ａの４つが示されている。つまり、先に図８〜図１２に示した色合成光学系において備えられていた、透過型又は反射型のＲ，Ｇ，Ｃｙ，Ｂの各色に対応した液晶パネルである。
【００６４】
この駆動回路系には、Ｒ，Ｇ，Ｂ方式に対応した映像信号が入力される。つまり、図示するように、Ｒ，Ｇ，Ｂごとの色成分に対応するＲ，Ｇ，Ｂ映像信号が入力されるようになっている。
【００６５】
この駆動回路系に入力されてくる上記Ｒ，Ｇ，Ｂ映像信号は、第１色空間変換部７１と、第２色空間変換部７２に対して分岐して入力されるようになっている。
第１色空間変換部７１及び第２色空間変換部７２は、いわゆる色空間変換（Ｃｏｌｏｒ　Ｓｐａｃｅ　Ｃｏｎｖｅｒｓｉｏｎ）の原理に基づいて、現在或る色を表現している色空間を、他の異なる色空間に変換するものである。
第１色空間変換部７１は、入力されたＲ，Ｇ，Ｂ映像信号を、Ｒ，Ｇ，Ｂの色空間による色が再現されるようにするためのＲ値，Ｇ値，Ｂ値を有するＲ，Ｇ，Ｂ映像信号に変換して、後述するスイッチ部７３の所要のスイッチの端子に出力する。
なお、この場合には結果的に、Ｒ，Ｇ，Ｂの色空間を、同じＲ，Ｇ，Ｂの色空間に変換していることになるから、例えば、この色空間変換部７１を省略した構成として、入力されたＲ，Ｇ，Ｂ映像信号の各々を、直接的に、スイッチ部７３の所要のスイッチの端子に入力するようにしてもよい。
【００６６】
また、第２色空間変換部７２では、入力されたＲ，Ｇ，Ｂ映像信号に対応するＲ，Ｇ，Ｂの色空間を、Ｒ，Ｃｙ，Ｂから成る色空間に変換し、この変換されたＲ，Ｃｙ，Ｂの色空間に対応したＲ，Ｃｙ，Ｂ映像信号を生成して出力する。
つまり、入力されたＲ，Ｇ，Ｂ映像信号が有するＲ値、Ｇ値、Ｂ値を利用して、Ｒ，Ｃｙ，Ｂへの色空間変換のための所要の演算処理を実行することで、Ｒ値，Ｃｙ値，Ｂ値の各色成分値を得るようにされる。確認のために述べておくと、この色空間変換後のＲ値，Ｃｙ値，Ｂ値により表現される色度及び輝度は、色空間変換前のＲ値、Ｇ値、Ｂ値により表現される色度及び輝度と同じとなる。つまり、人間の視覚としては、同じ色及び明るさで見える色が再現されるべきものとなる。そして、図３によっても例示したように、或る同じ色度（及び輝度）を、Ｒ，Ｇ，Ｂによる色空間で再現する場合と、Ｒ，Ｃｙ，Ｂによる色空間で再現する場合とでは、相互に共通な色の要素であるＲ，Ｂの取る値は、互いに異なるものとなる。
そして、このようにして色空間変換により得られたＲ値，Ｃｙ値，Ｂ値に応じたＲ，Ｃｙ，Ｂ映像信号の各々を生成して出力する。つまり、第２色空間変換部７２では、入力されたＲ，Ｇ，Ｂ映像信号と同じ色度及び明度により画像を再現するＲ，Ｃｙ，Ｂ映像信号を、スイッチ部７３の所要のスイッチの端子に出力する。
【００６７】
スイッチ部７３は、４つのスイッチ７３−１〜７３−４から成る。各スイッチ７３−１〜７３−４は、端子Ｔａ、端子Ｔｂ、及び端子Ｔｃを備え、端子Ｔｃが、端子Ｔａ及び端子Ｔｂに対して択一的に接続されるようにして切り換えが行われる。また、スイッチ７３−１〜７３−４における端子の切り換え制御は、後述する切り換え制御信号生成部７４から出力される切り換え制御信号によって共通に行われるようにされている。つまり、端子Ｔａを指示する切り換え制御信号が出力された場合には、スイッチ７３−１〜７３−４の全てにおいて、一斉に、端子Ｔｃが端子Ｔａに接続されるように切り換えを行うことになる。逆に、端子Ｔｂを指示する切り換え制御信号が出力されたのであれば、スイッチ７３−１〜７３−４の全てにおいて、端子Ｔｃが端子Ｔｂに接続されるように切り換わる。
【００６８】
スイッチ７３−１の端子Ｔａには、第１色空間変換部７１から出力されるＲ映像信号が入力される。端子Ｔｂには、第２色空間部７２から出力されるＲ映像信号が入力される。また、端子Ｔｃは、Ｒパネル１１，１１Ａの映像信号入力端子と接続される。
また、スイッチ７３−２の端子Ｔａには、第１色空間変換部７１から出力されるＧ映像信号が入力される。この場合、端子Ｔｂは、オープンとされる。端子Ｔｃは、Ｇパネル１２，１２Ａの映像信号入力端子と接続される。
また、スイッチ７３−３の場合は、端子Ｔａがオープンとされ、端子Ｔｂに対して、第２色空間変換部７２から出力されるＣｙ映像信号が入力される。端子Ｔｃは、Ｃｙパネル１３，１３Ａの映像信号入力端子と接続される。
また、スイッチ７３−１の端子Ｔａには、第１色空間変換部７１から出力されるＢ映像信号が入力される。端子Ｔｂには、第２色空間部７２から出力されるＢ映像信号が入力される。また、端子Ｔｃは、Ｂパネル１４，１４Ａの映像信号入力端子と接続される。
【００６９】
このような各スイッチ７３−１〜７３−４の端子に対する接続態様によると、各スイッチ７３−１〜７３−４において端子Ｔａが端子Ｔｃと接続されているときには、Ｒパネル１１，１１Ａに対しては、第１色空間変換部７１から出力されるＲ映像信号が入力される。また、Ｇパネル１２，１２Ａに対しては、第１色空間変換部７１から出力されるＧ映像信号が入力され、Ｂパネル１４，１４Ａに対しては、第１色空間変換部７１から出力されるＢ映像信号が入力される。Ｃｙパネル１３，１３Ａに対しては、映像信号は入力されない。
この場合、Ｒパネル１１，１１Ａ、Ｇパネル１２，１２Ａ、及びＢパネル１４，１４Ａの３枚の液晶パネルは、それぞれ、第１色空間変換部７１から出力されるＲ，Ｇ，Ｂ映像信号に基づいて駆動され、入射される光束Ｒ，Ｇ，Ｂについて光変調を行って出力することになる。
これに対して、Ｃｙパネル１３，１３Ａに対しては映像信号が入力されない。先の色分離／合成光学系の構成によると、Ｃｙパネル１３，１３Ａを含み、各液晶パネルに対しては、定常的に、光源１から分離された光束Ｃｙが入射された状態にあるが、各液晶パネルの動作として、上記のようにして映像信号が入力されない場合は、光束が入射しているとしても、光変調された光束を出射しない。従って、この場合には、Ｃｙパネル１３，１３Ａからは、変調光が出射されないことになる。
【００７０】
この結果、各スイッチ７３−１〜７３−４において端子Ｔａが端子Ｔｃと接続されている場合には、Ｒパネル１１，１１Ａ、Ｇパネル１２，１２Ａ、及びＢパネル１４，１４Ａの３枚の液晶パネルにより、Ｒ，Ｇ，Ｂの光束が光変調され、これらの各光束が合成された表示映像光が投射レンズ２５に入射することになる。従って、この場合には、Ｒ，Ｇ，Ｂの色空間により色再現された映像光による画像（原画像）を表示する状態が得られる。
この各スイッチ７３−１〜７３−４において端子Ｔａが端子Ｔｃと接続されている場合のプロジェクタ装置の動作は、本発明としての第２の映像光形成手段に対応するものとなる。
【００７１】
これに対して、各スイッチ７３−１〜７３−４において端子Ｔｂが端子Ｔｃと接続されているときには、次のようになる。
つまり、Ｒパネル１１，１１Ａに対しては、第２色空間変換部７２から出力されるＲ映像信号が入力される。Ｇパネル１２，１２Ａに対しては映像信号は入力されない。Ｃｙパネル１３，１３Ａに対しては、第２色空間変換部７２から出力されるＣｙ映像信号が入力され、Ｂパネル１４，１４Ａに対しても、第２色空間変換部７２から出力されるＢ映像信号が入力される。
従って、この場合には、Ｇパネル１２，１２Ａを除いた、Ｒパネル１１，１１Ａ、Ｃｙパネル１３，１３Ａ、Ｂパネル１４，１４Ａの各々が、第１色空間変換部７２から出力されるＲ，Ｃｙ，Ｂ映像信号に基づいて、入射する光束Ｒ，Ｃｙ，Ｂについて光変調を行って出射し、Ｇの光束を除いた、光束Ｒ，Ｃｙ，Ｂが合成された表示映像光が、投射レンズ２５から拡大投射されることになる。この結果、Ｒ，Ｃｙ，Ｂの色空間により色再現された映像光としての画像を表示する状態が得られる。
この各スイッチ７３−１〜７３−４において端子Ｔｂが端子Ｔｃと接続されている場合のプロジェクタ装置の動作は、本発明としての第１の映像光形成手段に対応するものとなる。
【００７２】
切り換え制御信号生成部７４には、原画像に埋め込むべき隠し撮り防止画像部分Ｐｐｒの画像データとして、例えばフレーム画像上における水平／垂直位置（画素位置）を示すデータが入力される。そして、切り換え制御信号生成部７４では、この入力されたデータに基づいて、切り換え制御信号を生成してスイッチ部７３に出力する。
つまり、フレーム（又はフィールド）画像内において、原画像としての画素を表示させるタイミングでは、端子Ｔｃに端子Ｔａを接続させるための切り換え制御信号を出力する。これにより、原画像に対応するＲ，Ｇ，Ｂの色空間により色再現された画素を表示出力することができる。
これに対して、フレーム（又はフィールド）画像内において、隠し撮り防止画像部分Ｐｐｒとしての画素を表示させるタイミングでは、端子Ｔｃに端子Ｔｂを接続させるための切り換え制御信号を出力することで、隠し撮り防止画像部分Ｐｐｒに対応するＲ，Ｃｙ，Ｂの色空間により色再現された画素を表示出力することができる。
ここで、例えば切り換え制御信号生成部７４に対して、図４（ｂ）に示す隠し撮り防止画像部分Ｐｐｒについてのデータを入力させれば、表示画像としては、実際に図４（ｂ）に示すものが得られることになる。また、図５、図６に示したようにして、時間経過に応じて隠し撮り防止画像部分Ｐｐｒが変化するような表示画像も、これらの図に示す隠し撮り防止画像部分Ｐｐｒについてのデータを入力させることで、容易に実現可能である。さらには、前述したように、隠し撮り防止画像部分Ｐｐｒのランダムな動きや変化に対応したのデータを入力させれば、これに応じた隠し撮り防止画像部分Ｐｐｒが表示されることになるものである。
【００７３】
ところで、上記図１３に示したパネル駆動回路系に入力されるＲ，Ｇ，Ｂ映像信号は、原画像を表示するものであり、例えば図１（ａ）及び図２に示した、Ｒ，Ｇ，Ｂの色度点の座標により形成される領域Ａｒ２の範囲で色再現を行うようにして、そのＲ値，Ｇ値，Ｂ値の範囲を取り得る。
これに対して、隠し撮り防止画像部分Ｐｐｒは、原画像と同じとされる色度、輝度であるべきものとされている。従って、隠し撮り防止画像部分Ｐｐｒとして色再現可能な範囲は、例えば図２に示したＲ，Ｃｙ，Ｂの色度点の座標により形成される領域Ａｒ４内において、Ｒ，Ｇ，Ｂから成る色空間によっても、色再現可能な範囲であることとなる。これは即ち、上記領域Ａｒ４と、Ｒ，Ｇ，Ｂの色度点の座標により形成される領域Ａｒ２の範囲とが重複する、重複領域Ａｒ５であることとなる。
【００７４】
従って、本実施の形態としては、或る所定形状、パターンとして視覚的に認識される原画像上の隠し撮り防止画像部分Ｐｐｒについて、実際には、入力されたＲ，Ｇ，Ｂ映像信号により再現すべき色度（及び輝度）が、上記重複領域Ａｒ５の範囲内にあるとされる色度（及び輝度）となる画素部分についてのみ、各スイッチ７３−１〜７３−４について端子Ｔｂに切り換えて、Ｒ，Ｃｙ，Ｂによる画素表示を行う。
これに対して、入力されたＲ，Ｇ，Ｂ映像信号により再現すべき色度（及び輝度）が、Ｒ，Ｇ，Ｂの色空間に対応する領域Ａｒ２において、重複領域Ａｒ５の範囲外である場合には、Ｒ，Ｃｙ，Ｂにより同じ色再現を行うことはできない。そこで、この場合には、視覚的に隠し撮り防止画像部分Ｐｐｒの形状枠の範囲内に位置する画素だとしても、各スイッチ７３−１〜７３−４について端子Ｔａに切り換えて、Ｒ，Ｇ，Ｂによる画素表示を行う。
このため、実際の隠し撮り防止画像部分Ｐｐｒとしては、本来意図している形状パターンが完全に形成されない場合が起こり得る。
【００７５】
具体例として、隠し撮り防止画像部分Ｐｐｒが例えば図４（ｂ）に示す×印のパターンであるとする。この図４（ｂ）においては、×印のパターンの外形枠内の画素について、全て、Ｒ，Ｃｙ，Ｂによる表示が行われているようにして記載がされている。
しかし、実際には上記した表示動作が行われるから、この×印のパターンの外形枠内の画素のうちで、Ｒ，Ｇ，Ｂの色空間に対応する領域Ａｒ２において、重複領域Ａｒ５の範囲外に存在するとされるＲ，Ｇ，Ｂ値による画素については、スイッチ７３−１〜７３−４について端子Ｔａに切り換えて、Ｒ，Ｇ，Ｂによる画素表示が行われることになる。
この結果、実際の図４（ｂ）の隠し撮り防止画像部分Ｐｐｒとしては、完全な×印ではなく、一部がＲ，Ｇ，Ｂによる画素表示とされることで欠けて、不完全な形になる。
【００７６】
しかしながら、本発明における目的は、表示される画像上に、原画像とは異なる色空間により再現される画像を表示させることで、カメラにより撮影された際の原画像の品質を低下させて、隠し撮りを防止することにある。
従って、上記のようにして、隠し撮り防止画像部分Ｐｐｒとして完全な形状パターンが得られないとしても、カメラにより撮影された際の隠し撮り防止画像部分Ｐｐｒとしては、視覚的には、ほぼ×印として認識できる程度の形状は保たれている。つまり、充分に、隠し撮りを防止する機能を果たしていることになる。
【００７７】
なお、隠し撮り防止画像部分Ｐｐｒとして完全な形状パターンが得られるようにするためには、図１３に示したパネル駆動回路系に入力すべきＲ，Ｇ，Ｂ映像信号として、図２に示す重複領域Ａｒ５の範囲の色のみが表現できるＲ，Ｇ，Ｂ値の範囲に限定すればよい。しかしながら、この場合には、原画像としての色再現範囲も狭くなる。
【００７８】
また、これまでに説明した本実施の形態としてのプロジェクタ装置は、通常のＲ，Ｇ，Ｂ，Ｃｙに対応する４板式のプロジェクタ装置として使用することもできる。つまり、入力映像信号としても、Ｒ，Ｇ，Ｂ，Ｃｙの各色の映像信号を入力させ、これらの映像信号によって、Ｒ，Ｇ，Ｂ，Ｃｙの各液晶パネルを駆動し、Ｒ，Ｇ，Ｂ，Ｃｙの各光束について光変調を施す。そして、これらの光変調された４本の光束Ｒ，Ｇ，Ｂ，Ｃｙの全てを合成して投射レンズ２５に対して入力させるものである。この場合には、前述したように、例えばＲ，Ｇ，Ｂ（又はＲ，Ｃｙ，Ｂ）の３色によって画像表示を行う場合よりも、高い色再現性と、高輝度が得られ、より高画質が画像を表示させることができる。
【００７９】
また、本発明は、これまでに実施の形態として説明した構成に限定されるものではない。
例えば上記実施の形態では、隠し撮り防止画像部分Ｐｐｒを形成する第１の色成分群についてＲ，Ｃｙ，Ｂの色成分の組み合わせとし、原画像を形成する第２の色成分群についてＲ，Ｇ，Ｂの色成分の組み合わせとしている。
しかしながら、上記第１の色成分群と第２の色成分群の各色成分の組み合わせ方としては、例えば第１の色成分群と第２の色成分群による色再現範囲の重複領域について、隠し撮り防止画像部分Ｐｐｒを形成するのに必要充分とされる範囲さえ確保しているとされれば、上記した組み合わせに限定されるものではない。
【００８０】
また、上記実施の形態では、原画像に対応する第２の色成分群（Ｒ，Ｇ，Ｂ）に対して、隠し撮り防止画像部分Ｐｐｒを形成する第１の色成分群（Ｒ，Ｃｙ，Ｂ）として１つのみを設けているが、本発明の概念としては、この第１の色成分群としては、それぞれ異なる色の組み合わせによる複数を設けてよい。
この場合のプロジェクタ装置としては、これら複数の第１の色成分群を成す色成分に対応した色分離光学系、光変調素子（液晶パネル）、及び色合成系を設ける。また、第２色空間変換部７２についても、これら複数の第１の色成分群に対応した複数を設けるようにする。
そして、隠し撮り防止画像部分Ｐｐｒを形成する際には、適宜、所要のタイミングによって、複数の第１の色成分群の間で、１つの第１の色成分群に対応する色空間による画素表示が行われるように切り換えを行うようにすればよいものである。
【００８１】
また、上記実施の形態では、第２の色成分群（Ｒ，Ｇ，Ｂ）による原画像を表示することを前提とした上で、この原画像に、第１の色成分群（Ｒ，Ｃｙ，Ｂ）による隠し撮り防止画像部分Ｐｐｒを形成することとしている。
しかしながら、本発明の概念としては、第１の色成分群（Ｒ，Ｃｙ，Ｂ）によってのみ画像表示を行ってもよいものである。つまり、これを図１３に示す構成に対応させれば、定常的に、スイッチ７３−１〜７３−４について端子Ｔｂと端子Ｔｃが接続された状態として、第１の色成分群（Ｒ，Ｃｙ，Ｂ）の色空間による画像表示が行われるようにするものである。
この場合には、表示される画像全体が、第１の色成分群（Ｒ，Ｃｙ，Ｂ）の色空間による画素の集合により形成される。つまり、隠し撮り防止画像部分Ｐｐｒが、画面全体として表示されることになる。そして、この場合にも、表示画像は、人間の視覚上は、第２の色成分群（Ｒ，Ｇ，Ｂ）による原画像と同じ色彩（明るさ）で見える。そして、カメラで表示画像を撮影した場合には、画面全体が、正常でない色に変わることになる。つまり、切り換えを行わなくとも、カメラで撮影した画像の品質を劣化させることができているわけであり、隠し撮りを防止する効果が生じるものである。
補足的に述べておくと、実施の形態において、第２の色成分群（Ｒ，Ｇ，Ｂ）による原画像上に、第１の色成分群（Ｒ，Ｃｙ，Ｂ）による隠し撮り防止画像部分Ｐｐｒを埋め込み、さらには、この隠し撮り防止画像部分Ｐｐｒの形状パターンを変化可能としているのは、先にも述べたように、隠し撮りをより強固に防止するためである。
ただし、第１の色成分群（Ｒ，Ｃｙ，Ｂ）により隠し撮り防止画像部分Ｐｐｒを表示することのできる色の範囲は、前述もしたように図２の重複領域Ａｒ５となる。従って、第１の色成分群（Ｒ，Ｃｙ，Ｂ）により全画面を表示する場合には、表示画像として再現可能な色範囲も、図２の重複領域Ａｒ５に対応するものとなる。
【００８２】
【発明の効果】
以上説明したように、本発明は、第１の映像光形成手段により形成された第１の色成分群（Ｒ、Ｃｙ、Ｂ）を成す色成分ごとの映像光を形成し、これらの映像光を合成した映像光を表示するようにされている。ここで、この第１の映像光形成手段により形成される、第１の色成分群（Ｒ、Ｃｙ、Ｂ）としての色空間により再現される色度点及び輝度は、第２の色成分群（Ｒ、Ｇ、Ｂ）としての色空間により再現される色度点及び輝度と同じとなるように、各色の色成分値が設定されている。
上記のようにして、第１の映像光形成手段により形成された第１の色成分群（Ｒ、Ｃｙ、Ｂ）を成す色成分ごとの映像光を合成して表示させる表示画像としては、第２の色成分群（Ｒ、Ｇ、Ｂ）を成す色成分ごとの映像光を合成して表示したとされる表示画像と、人間の視覚上は同じ色に見えることになる。しかしながら、第１の色成分群（Ｒ、Ｃｙ、Ｂ）と第２の色成分群（Ｒ、Ｇ、Ｂ）とでは同じ色度点を再現するのに、互いに同じ色成分の色成分値が異なる。このため、第２の色成分群に対応した方式を採るカメラ装置により撮影した場合には、異なった色として見える。つまりカメラ装置により撮影して例えば録画を行った場合には、正常な色とはならない品質が劣化したものとなる。
これにより、例えばいわゆる隠し撮りによって表示画像を撮影録画したとしても、録画された表示画像は、上記のようにしてその画像品質が劣化したものとなっていることになる。このために、隠し撮りなどの不正行為が防止されることになる。
また、上記もしたように、第１の色成分群（Ｒ、Ｃｙ、Ｂ）による表示画像は、人間の視覚的には正常な色に見えている。つまり、隠し撮り防止のための画像でありながら、通常に鑑賞者が表示画像を見る限りには、この隠し撮り防止による画質劣化の影響が全くないということも利点となるものである。
【図面の簡単な説明】
【図１】Ｒ，Ｇ，Ｂの３色、及びＲ，Ｇ，Ｃｙ，Ｂの４色により再現可能な色範囲が示される色度図である。
【図２】Ｒ，Ｇ，Ｂ，Ｃｙの４色に対応する４板式のプロジェクタ装置を構成した場合における色再現性を説明するための色度図である。
【図３】目標色Ｔａｒｇｅｔを、Ｒ，Ｇ，Ｂの３色、及びＲ，Ｃｙ，Ｂの３色により再現する場合の色成分値を示す説明図である。
【図４】原画像に対して埋め込まれる隠し撮り防止画像部分の形状パターン例を示す図である。
【図５】原画像に対して埋め込まれる隠し撮り防止画像部分の変化のパターン例を示す図である。
【図６】原画像に対して埋め込まれる隠し撮り防止画像部分の変化のパターン例を示す図である。
【図７】本実施の形態のプロジェクタ装置の色分解光学系の構成例を示す図である。
【図８】本実施の形態のプロジェクタ装置の色合成光学系の構成（第１例）を示す図である。
【図９】本実施の形態のプロジェクタ装置の色合成光学系の構成（第２例）を示す図である。
【図１０】本実施の形態のプロジェクタ装置の色合成光学系の構成（第３例）を示す図である。
【図１１】本実施の形態のプロジェクタ装置の色合成光学系の構成（第４例）を示す図である。
【図１２】本実施の形態のプロジェクタ装置の色合成光学系の構成（第５例）を示す図である。
【図１３】本実施の形態のプロジェクタ装置のパネル駆動回路系の構成例を示す図である。
【符号の説明】
１　光源、２　ランプ、３　リフレクタ、４　Ｒ反射ダイクロイックミラー、５，２１　Ｇ反射ダイクロイックミラー、６，２３　Ｃｙ反射ダイクロイックミラー、１１，１１Ａ　Ｒパネル、１２，１２Ａ　Ｇパネル、１３，１３Ａ　Ｃｙパネル、１４，１４Ａ　Ｂパネル、２４（Ｃｙ，Ｂ反射ダイクロイックミラー）、２５　投射レンズ、３１，５５　クロスダイクロイックプリズム、３２　反射用プリズム、３３，４４，５７，６５，６６，６７　ダイクロイックプリズム、４１　Ｒ位相差板、４２　Ｇ位相差板、４３，５１，５２，５３，５４，６１，６２，６３，６４　偏光ビームスプリッタ、５６　ダミープリズム、７１　第１色空間変換部、７２　第２色空間変換部、７３　スイッチ部、７３−１〜７３−４　スイッチ、７４　切り換え制御信号生成部
【図１】
2004144907.tif 000003
【図２】
2004144907.tif 000004
【図３】
2004144907.tif 000005
【図４】
2004144907.tif 000006
【図５】
2004144907.tif 000007
【図６】
2004144907.tif 000008
【図７】
2004144907.tif 000009
【図８】
2004144907.tif 000010
【図９】
2004144907.tif 000011
【図１０】
2004144907.tif 000012
【図１１】
2004144907.tif 000013
【図１２】
2004144907.tif 000014
【図１３】
2004144907.tif 000015